(57)【要約】      （修正有）【課題】充電ブルートゥースイヤホーンを有する手持ち装置フレームを提供する。【解決手段】フレーム１と嵌合座２、移動電源４及びブルートゥースイヤホーン３を有し、上記フレームのメイン枠体１１により、手持ち装置が保護される。メイン枠体１１に、組立て板１２が組立てられ、上記組立て板に、更に、嵌合座と移動電源が固定され、上記嵌合座に、ブルートゥースイヤホーンが嵌合されることにより、移動電源を、ブルートゥースイヤホーンや手持ち装置と一緒に携行することができ、携行利便性がより向上する。また、移動電源により、戸外で、同時に、手持ち装置とブルートゥースイヤホーンに対して必要とする電力を供給することができる。【選択図】図１
0003180004.tif 000002
【実用新案登録請求の範囲】
【請求項１】
フレームと、嵌合座と、ブルートゥースイヤホーンと、移動電源からなる充電ブルートゥースイヤホーンを有する手持ち装置フレームであって、
上記フレームが、メイン枠体と組立て板からなり、上記メイン枠体により、手持ち装置が保護され、上記メイン枠体に、組立て板が組立てられ、上記組立て板に、嵌合座と移動電源が固定され、
上記嵌合座が、フレームの組立て板に設置され、基座主体と嵌合溝からなり、上記基座主体が、組立て板に固定され、基座主体に、嵌合溝が形成され、上記嵌合溝に、ブルートゥースイヤホーンが嵌設され、
上記ブルートゥースイヤホーンが、嵌合座の嵌合溝に嵌設され、イヤホーン主体と耳栓端部からなり、上記イヤホーン主体に、耳栓端部が設けられ、上記耳栓端部により、人体の耳に結合可能であり、
上記移動電源が、フレームの組立て板に設置され、電源主体と充電プラグからなり、上記電源主体が、組立て板に固定されてなる
ことを特徴とする充電ブルートゥースイヤホーンを有する手持ち装置フレーム。
【請求項２】
嵌合座の嵌合溝の内壁に、少なくとも二つの通電孔が設けられ、電源主体が、基座主体に合わせて設置され、上記電源主体が、通電孔の近くに位置し、また、ブルートゥースイヤホーンのイヤホーン主体の一側に、少なくとも二つのイヤホーン通電端部部が設けられ、上記イヤホーン主体が、嵌合溝に嵌設される場合においても、イヤホーン通電端部が、通電孔に嵌設され、電源主体が、通電孔を介して、イヤホーン通電端部に対して電力を供給することを特徴とする請求項１に記載の充電ブルートゥースイヤホーンを有する手持ち装置フレーム。
【請求項３】
移動電源の電源主体に、ソーラーパネルが組立てられ、上記ソーラーパネルにより、光電力に変換され、また、電源主体に電力を送電して蓄電することを特徴とする請求項１に記載の充電ブルートゥースイヤホーンを有する手持ち装置フレーム。
【考案の詳細な説明】
【技術分野】
【０００１】
本考案は、充電ブルートゥースイヤホーンを有する手持ち装置フレームに関するものであり、さらに詳しくは、手持ち装置に結合されるケース構造に関するものである。
【背景技術】
【０００２】
従来の携帯電話保護ケース、特に、iPhone4を保護するための携帯電話の硬質保護ケースは、裏面保護板と、上記裏面保護板の左、右両側に接続される左側保護板と右側保護板とを備えたものであり、上記裏面保護板の上端縁と下端縁から、それぞれ、湾曲することにより、裏面保護板と左、右保護板によって覆われ、携帯電話の背面と両側が嵌合され、携帯電話が嵌設されるための一つや一つ以上の上係止部と下係止部とが形成される。
【０００３】
上記の携帯電話保護ケースによれば、携帯電話を保護するだけの機能が発揮でき、一般的に、充電する場合、充電器を、別に携行することが必要であり、そのため、戸外で使用する場合、充電のためには、充電器を携行するか、予備電池を携行するか、また、ソケットを探さなければならなく、実用的なものではない。また、携帯電話と一緒に使用するブルートゥースイヤホーンも、別に携帯しなければならないため、非常に不便である。
【考案の概要】
【考案が解決しようとする課題】
【０００４】
本考案の課題は、充電ブルートゥースイヤホーンを有する手持ち装置フレームを提供し,有効に、ブルートゥースイヤホーンと移動電源の手持ち装置フレーム構造を結合でき、一般の携帯電話装置保護枠充電器やブルートゥースイヤホーンを別に携帯しなければならないという難点を解消することにある。
【課題を解決するための手段】
【０００５】
そこで、本考案者は、上記課題を解決するために鋭意検討を重ねた結果、手持ち装置の保護フレームをメイン枠体と組立て板とから構成させることにより、移動電流及びブルートゥースイヤホーンを容易に手持ち装置と一体化することができることに着目し、かかる知見に基いて本考案を完成した。
【０００６】
かくして、請求項１の考案によれば、フレームと、嵌合座と、ブルートゥースイヤホーンと、移動電源からなる充電ブルートゥースイヤホーンを有する手持ち装置フレームであって、
上記フレームが、メイン枠体と組立て板からなり、上記メイン枠体により、手持ち装置が保護され、上記メイン枠体に、組立て板が組立てられ、上記組立て板に、嵌合座と移動電源が固定され、
上記嵌合座が、フレームの組立て板に設置され、基座主体と嵌合溝からなり、上記基座主体が、組立て板に固定され、基座主体に、嵌合溝が形成され、上記嵌合溝に、ブルートゥースイヤホーンが嵌設され、
上記ブルートゥースイヤホーンが、嵌合座の嵌合溝に嵌設され、イヤホーン主体と耳栓端部からなり、上記イヤホーン主体に、耳栓端部が設けられ、上記耳栓端部により、人体の耳に結合可能であり、
上記移動電源が、フレームの組立て板に設置され、電源主体と充電プラグからなり、上記電源主体が、組立て板に固定されてなる
ことを特徴とする充電ブルートゥースイヤホーンを有する手持ち装置フレーム
が提供される。
【０００７】
請求項２の考案によれば、嵌合座の嵌合溝の内壁に、少なくとも二つの通電孔が設けられ、電源主体が、基座主体に合わせて設置され、上記電源主体が、通電孔の近くに位置し、また、ブルートゥースイヤホーンのイヤホーン主体の一側に、少なくとも二つのイヤホーン通電端部部が設けられ、上記イヤホーン主体が、嵌合溝に嵌設される場合においても、イヤホーン通電端部が、通電孔に嵌設され、電源主体が、通電孔を介して、イヤホーン通電端部に対して電力を供給することを特徴とする請求項１に記載の充電ブルートゥースイヤホーンを有する手持ち装置フレーム
が提供される。
【０００８】
請求項３の考案によれば、移動電源の電源主体に、ソーラーパネルが組立てられ、上記ソーラーパネルにより、光電力に変換され、また、電源主体に電力を送電して蓄電することを特徴とする請求項１に記載の充電ブルートゥースイヤホーンを有する手持ち装置フレーム
が提供される。
【考案の効果】
【０００９】
本考案は、上記の通りの構成からなるものであり、手持ち装置が保護されると共に、ブルートゥースイヤホーンと移動電源をコンパクトにまとめたものであって、同時に携行可能であり、利便性に優れたものである。
【考案を実施するための最良の形態】
【００１０】
以下、図面を参照しながら、本考案の特徴や技術内容について、詳しく説明するが、それらの図面等は、参考や説明のためのものであり、本考案は、それらによって限定されるものではない。
【００１１】
図１に示すように、本考案に係るブルートゥースイヤホーンを有する手持ち装置フレームは、メイン枠体11と組立て板12からなり、上記メイン枠体11により、手持ち装置が保護され、上記手持ち装置が、携帯電話やカメラ、GPSナビ、ドライブレコーダー等であり、メイン枠体11に、組立て板12が組立てられ、上記組立て板12に、嵌合座2と移動電源4とが固定されるフレーム1と、
フレーム1の組立て板12に設置され、基座主体21と嵌合溝22及び通電孔23からなり、上記基座主体21が、長尺状で、組立て板12に固定され、基座主体21の内則に、嵌合溝22が形成され、上記嵌合溝22の内壁に、更に、少なくとも二つの通電孔23が形成され、上記嵌合溝22に、ブルートゥースイヤホーン3が嵌設される嵌合座2と、
嵌合座2の嵌合溝22に嵌設され、イヤホーン主体31とイヤホーン通電端部32及び耳栓端部33からなり、上記イヤホーン主体31が、上記ブルートゥースイヤホーン3の主体で、上記イヤホーン主体31の一側に、少なくとも二つのイヤホーン通電端部32が形成され、上記イヤホーン主体31が、嵌合溝22に嵌設される時、イヤホーン通電端部32が、通電孔23に嵌設され、また、イヤホーン主体31に、耳栓端部33が形成され、上記耳栓端部33により、人体の耳に結合され、上記耳栓端部33が、任意に、イヤホーン主体31において、回転されて角度が調整されるブルートゥースイヤホーン3と、
フレーム1の組立て板12に設置され、電源主体41と充電プラグ42からなり、上記扁平状に形成された電源主体41が、組立て板12に固定され、嵌合座2の基座主体21に合わせて設置され、上記電源主体41が、通電孔23の近くに位置し、電源主体41が、通電孔23を介して、ブルートゥースイヤホーン3のイヤホーン通電端部32に対して電力を供し、また、電源主体41の一端に、充電プラグ42が接続される移動電源4と、
が含有される。
【００１２】
図１のように、本考案によれば、まず、フレーム1の組立て板12をメイン枠体11に組立て、また、上記メイン枠体11により、手持ち装置が覆われ、また、ブルートゥースイヤホーン3のイヤホーン主体31が、嵌合座2の嵌合溝22に嵌設され、組立てる時、図２のように、上記耳栓端部33が、イヤホーン主体31と水平状態になるように回転させ、組立てを終了させることができる。
【００１３】
図２のように、本考案によれば、フレーム1のメイン枠体11により手持ち装置が覆われ、上記手持ち装置が、移動電源4の充電プラグ42に接続させることができる。これにより、電源主体41が、充電プラグ42を介して、手持ち装置に対して充電できる。また、上記ブルートゥースイヤホーン3は、イヤホーン通電端部32から、電源主体41の電力を引き受け、上記イヤホーン通電端部32が、イヤホーン主体31により、より安定的に、嵌合座2の嵌合溝22に結合される。そのため、上記ブルートゥースイヤホーン3によれば、スペースを取らずに、手持ち装置のフレーム1と一緒に携行でき、非常に利便性に優れたものである。
【００１４】
図３は、本考案の他の実施形態である。上記実施形態例は、移動電源4の電源主体41に、ソーラーパネル43が組立てられ、上記ソーラーパネル43が、光を電力に変換して電力を、電源主体41に対し、供給して蓄電することができる。これにより、他に、移動電源4に対し電力を供給できるので、戸外での手持ち装置の使用利便性が、更に向上する。
【００１５】
本考案によれば、下記の利点が得られ、フレームの組立て板に、配列された嵌合座と移動電源が結合されるため、上記嵌合座が、ブルートゥースイヤホーンと結合でき、そのため、移動電源が、ブルートゥースイヤホーンや手持ち装置と一緒に携行でき、携行利便性が向上する。また、移動電源により、同時に、戸外で、手持ち装置やブルートゥースイヤホーンに対し、必要とする電力を供給でき、それにより、実用性や経済性がより向上する。
【００１６】
以上は、本考案のより良い実施形態例であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００１７】
【図１】本考案の一実施形態による手持ち装置の保護フレームの分解斜視図である。
【図２】本考案の一実施形態による手持ち装置の保護フレームの斜視図である。
【図３】本考案の他の実施形態による手持ち装置の保護フレームの斜視図である。
【符号の説明】
【００１８】
1  フレーム
11  メイン枠体
12  組立て板
2  嵌合座
21  基座主体
22  嵌合溝
23  通電孔
3  ブルートゥースイヤホーン
31  イヤホーン主体
32  イヤホーン通電端部
33  耳栓端部
4  移動電源
41  電源主体
42  充電プラグ
【図１】
0003180004.tif 000003
【図２】
0003180004.tif 000004
【図３】
0003180004.tif 000005